(57)【要約】【課題】河川・湖沼・海岸などの堤防において、用地買収費用を抑え、工期を短縮する。【解決手段】堤体２の裏法尻に土止め擁壁３３を設け、この土止め擁壁３３の内側（堤体２側）に堤脚水路を構築する。この堤脚水路は、堤脚水路構築物３Ａに暗渠排水管８を配管して形成する。堤脚水路構築物３Ａは、底板３１に土止め擁壁３３が一体に設けられたものである。これにより、土止め擁壁３３の外側（背後地側）に堤脚水路を構築する必要がなくなるため、用地買収面積が縮小され、用地買収費用が抑えられる。また、堤脚水路の排水勾配を確保するのに堤脚水路構築物３を傾ける必要がなくなり、堤脚水路構築物３Ａの隙間の詰め物も不要となる。その結果、堤脚水路工に熟練を要さず、工期が短縮される。堤脚水路構築物３Ａを設置するだけで堤脚水路工と堤脚保護工とが同時に完了するため、施工手間が大幅に省かれる。【選択図】図２
2006176990.tif 000002
【特許請求の範囲】
【請求項１】
堤体の裏法尻に堤脚水路構築物が設置された堤防強化ドレーン構造であって、
前記堤脚水路構築物は、土止め擁壁の内側に堤脚水路が形成されていることを特徴とする堤防強化ドレーン構造。
【請求項２】
前記堤脚水路は、前記堤脚水路構築物に配管された透水管によって形成されていることを特徴とする請求項１に記載の堤防強化ドレーン構造。
【請求項３】
前記透水管は、
前記堤体内に埋設されたドレーン材より透水係数の大きい心材と、この心材を被覆するフィルター材とからなることを特徴とする請求項２に記載の堤防強化ドレーン構造。
【請求項４】
前記堤体内にドレーン材が埋設され、このドレーン材の後方にドレーン材安定柵が設置されていることを特徴とする請求項１乃至３のいずれかに記載の堤防強化ドレーン構造。
【請求項５】
前記堤脚水路構築物は、底板に土止め擁壁が一体に設けられたものであることを特徴とする請求項１乃至４のいずれかに記載の堤防強化ドレーン構造。
【請求項６】
堤防を強化する際に、
堤体の裏法尻に土止め擁壁を設け、この土止め擁壁の内側に堤脚水路を構築することを特徴とする堤防強化ドレーン工法。
【請求項７】
前記堤脚水路は、堤脚水路構築物に透水管を配管して形成されることを特徴とする請求項６に記載の堤防強化ドレーン工法。
【請求項８】
前記透水管は、
前記堤体内に埋設されたドレーン材より透水係数の大きい心材と、この心材を被覆するフィルター材とからなることを特徴とする請求項７に記載の堤防強化ドレーン工法。
【請求項９】
前記堤体内にドレーン材を埋設し、このドレーン材の後方にドレーン材安定柵を設置することを特徴とする請求項６乃至８のいずれかに記載の堤防強化ドレーン工法。
【請求項１０】
前記堤脚水路構築物は、底板に土止め擁壁が一体に設けられたものであることを特徴とする請求項６乃至９のいずれかに記載の堤防強化ドレーン工法。
【発明の詳細な説明】
【技術分野】
【０００１】
本発明は、河川・湖沼・海岸などの堤防に適用するに好適な、堤防強化ドレーン構造および堤防強化ドレーン工法に関するものである。
【背景技術】
【０００２】
従来、この種の堤防においては、堤体の裏法尻に土止め擁壁を設け、この土止め擁壁の外側（背後地側）に堤脚水路を構築していた（例えば、特許文献１参照）。
【特許文献１】特開平９−２５６４５１号公報
【発明の開示】
【発明が解決しようとする課題】
【０００３】
しかし、これでは次のような不都合があった。
【０００４】
第１に、土止め擁壁の外側に堤脚水路を構築しなければならないので、その分だけ用地買収面積が広がり、用地買収費用がかさむ。
【０００５】
第２に、堤脚水路の排水勾配を確保するためには、堤脚水路構築物を傾ける必要があるばかりか、堤脚水路の最上点と最下点において堤脚水路構築物の隙間にモルタルやコンクリートで目地処理をしなければならない。そのため、堤脚水路工に熟練を要し、工期が長引く。
【０００６】
本発明は、こうした不都合を解消することが可能な、堤防強化ドレーン構造および堤防強化ドレーン工法を提供することを目的とする。
【課題を解決するための手段】
【０００７】
まず、請求項１に係る堤防強化ドレーン構造の発明は、堤体の裏法尻に堤脚水路構築物が設置された堤防強化ドレーン構造であって、前記堤脚水路構築物は、土止め擁壁の内側に堤脚水路が形成されていることを特徴とする。
また、請求項２に係る堤防強化ドレーン構造の発明は、前記堤脚水路は、前記堤脚水路構築物に配管された透水管によって形成されていることを特徴とする。
また、請求項３に係る堤防強化ドレーン構造の発明は前記透水管は、前記堤体内に埋設されたドレーン材より透水係数の大きい心材と、この心材を被覆するフィルター材とからなることを特徴とする。
また、請求項４に係る堤防強化ドレーン構造の発明は、前記堤体内にドレーン材が埋設され、このドレーン材の後方にドレーン材安定柵が設置されていることを特徴とする。
また、請求項５に係る堤防強化ドレーン構造の発明は、前記堤脚水路構築物は、底板に土止め擁壁が一体に設けられたものであることを特徴とする。
また、請求項６に係る堤防強化ドレーン工法の発明は、堤防を強化する際に、堤体の裏法尻に土止め擁壁を設け、この土止め擁壁の内側に堤脚水路を構築することを特徴とする。
また、請求項７に係る堤防強化ドレーン工法の発明は、前記堤脚水路は、堤脚水路構築物に透水管を配管して形成されることを特徴とする。
また、請求項８に係る堤防強化ドレーン工法の発明は、前記透水管は、前記堤体内に埋設されたドレーン材より透水係数の大きい心材と、この心材を被覆するフィルター材とからなることを特徴とする。
また、請求項９に係る堤防強化ドレーン工法の発明は、前記堤体内にドレーン材を埋設し、このドレーン材の後方にドレーン材安定柵を設置することを特徴とす。
また、請求項１０に係る堤防強化ドレーン工法の発明は、前記堤脚水路構築物は、底板に土止め擁壁が一体に設けられたものであることを特徴とする。
【発明の効果】
【０００８】
本発明によれば、土止め擁壁の外側（背後地側）に堤脚水路を構築する必要がなくなるため、用地買収面積を縮小し、用地買収費用を抑えることができる。
【０００９】
また、堤脚水路の排水勾配を確保するのに堤脚水路構築物を傾ける必要がなくなり、堤脚水路構築物の隙間の目地処理が不要となる。その結果、堤脚水路工に熟練を要さず、工期を短縮することができる。
【００１０】
さらに、底板に土止め擁壁が一体に設けられた堤脚水路構築物を用いれば、堤脚水路構築物を設置するだけで堤脚水路工と堤脚保護工とが同時に完了するため、施工手間を大幅に省くことが可能となる。
【発明を実施するための最良の形態】
【００１１】
以下、本発明の実施形態を図面に基づいて説明する。
【００１２】
河川用の堤防１は、図２に示すように、堤体２を有しており、堤体２内にはドレーン材５がフィルター材７で覆われた状態で埋設されている。ここで、ドレーン材５は、透水性に優れた砂質土、砕石、礫、栗石などで構成されたものである。フィルター材７は、水は通すが、土砂やドレーン材５は通さない性質を備えたものである。また、ドレーン材５の後方（図２右側）には、逆Ｔ字断面のドレーン材安定柵６が設置されている。一方、ドレーン材５の前方（図２左側）の裏法尻近傍には、図１および図２に示すように、複数個の略Ｌ字断面の堤脚水路構築物３（３Ａ、３Ｂ）が割栗石１２に支持された形で並設されている。この堤脚水路構築物３には、集水部に使用される堤脚水路構築物３Ａと集水部以外の部位に使用される堤脚水路構築物３Ｂの２種類がある。
【００１３】
まず、集水部に使用される堤脚水路構築物３Ａは、図３に示すように、底板３１を有しており、底板３１の後端部には背面壁３２が一体に立設されている。一方、底板３１の前端部には土止め擁壁３３が一体に立設されており、土止め擁壁３３の上部は後方、つまり堤体２側に傾斜している。また、土止め擁壁３３の下部には、１個以上（例えば、図３（ａ）に示すように、４個）の排水孔３４が形成されている。
【００１４】
他方、集水部以外の部位に使用される堤脚水路構築物３Ｂは、排水孔３４が形成されていないことと、背面壁３２に通水窓３５が形成されていることを除き、集水部に使用される堤脚水路構築物３Ａと同様の構成を有している。すなわち、堤脚水路構築物３Ｂは、図４に示すように、底板３１を有しており、底板３１の後端部には背面壁３２が一体に立設されている。さらに、背面壁３２の上部には、ドレーン材５からの集水効率を高めるため、１個以上（例えば、図４（ｃ）に示すように、４個）の通水窓３５が形成されている。一方、底板３１の前端部には土止め擁壁３３が一体に立設されており、破堤２からの土圧に対する安定性を高めるため、土止め擁壁３３の上部は後方、つまり堤体２側に傾斜している。
【００１５】
そして、これらの堤脚水路構築物３Ａ、３Ｂには、図１（ａ）に示すように、透水管として暗渠排水管８が所定の勾配（例えば、２〜３％）で傾斜して堤脚水路を形成するように配管されており、集水部、つまり堤脚水路構築物３Ａの部分が最下点となっている。このとき、暗渠排水管８は、集水部では、図３（ｂ）に示すように、アンカーボルトとナットの組み合わせなどの固着具９により、堤脚水路構築物３Ａの底板３１に固着されており、集水部以外の部位では、図４（ｂ）に示すように、アンカーボルトとナットの組み合わせなどの固着具９により、スペーサ（高さ調整板）１０を介して堤脚水路構築物３Ｂの底板３１に固着されている。
【００１６】
この暗渠排水管８は、図５に示すように、円筒状の塩化ビニル管８ａを有しており、塩化ビニル管８ａには、その内外を連通する多数個の通水孔８ｂが穿設されている。
【００１７】
河川用の堤防１は以上のような構成を有するので、堤体２に浸透した河川水や雨水は、ドレーン材５で集排水され、暗渠排水管８内に導かれた後、集水部に位置する堤脚水路構築物３Ａの排水孔３４から下水処理管や農業用水路などへ排水される。そのため、裏法尻近傍の堤体２および基礎地盤の土質が安定化される結果、破堤２や堤体土砂の流出を未然に防ぐことができる。
【００１８】
このとき、堤脚水路は、堤脚水路構築物３Ａ、３Ｂの土止め擁壁３３の外側（背後地側）ではなく内側（堤体２側）に構築されているので、用地買収面積を縮小し、用地買収費用を抑えることができる。
【００１９】
また、暗渠排水管８が所定の勾配で傾斜しているので、堤脚水路の排水勾配を確保するのに堤脚水路構築物３Ａ、３Ｂを傾ける必要がなくなり、堤脚水路構築物３Ａ、３Ｂの隙間の目地処理が不要となる。その結果、堤脚水路工に熟練を要さず、工期を短縮することができる。
【００２０】
さらに、堤脚水路構築物３は、底板３１に土止め擁壁３３が一体に設けられたものであるため、堤脚水路構築物３を設置するだけで堤脚水路工と堤脚保護工とが同時に完了する。したがって、堤脚水路工と堤脚保護工とを別個に行わなければならない従来工法と比べて、施工手間を大幅に省くことが可能となる。
【００２１】
なお、上述の実施形態においては、塩化ビニル管８ａに多数個の通水孔８ｂが穿設された暗渠排水管８について説明したが、暗渠排水管８の構造はこれに限るわけではない。例えば、図６に示すように、円筒状のコンクリート管８ｃに多数個の通水孔８ｄが穿設された暗渠排水管８を用いてもよい。また、図７に示すように、繊維（化学合成繊維であると天然繊維であるとを問わない。）などを３次元的に絡めて心材８ｆを作り、この心材８ｆに吸出し防止材などのフィルター材８ｅを円筒状に巻回して被覆し、これを暗渠排水管８として使っても構わない。ここで、フィルター材８ｅとしては、心材８ｆの目詰まりを生じさせる細粒分・砂などの通過を阻止すると同時に、透水性を備えた材質のものが用いられる。一方、心材８ｆとしては、ドレーン材５より透水係数が大きい（つまり、通水性が良好な）ものが用いられる。例えば、ドレーン材５の透水係数が１×１０-1〜１×１０-3ｃｍ／ｓであれば、心材８ｆの透水係数を１×１０-1ｃｍ／ｓより大きくする。これにより、心材８ｆとドレーン材５との透水係数の差を利用して、河川水や雨水を暗渠排水管８経由で迅速に排水することができる。また、心材８ｆとフィルター材８ｅとからなる暗渠排水管８は、フレキシブルであるため、通水上必要な変形に対応することができ、施工性にも優れる。さらに、これらの暗渠排水管８の断面形状は、必要通水量を確保できるとともに、周囲の圧力によって変形しない強度を具備している限り、円形のみならず矩形、台形など種々の断面形状が考えられる。
【００２２】
また、図８および図９に示すように、暗渠排水管８を設置せず、堤脚水路構築物３Ａ、３Ｂだけで排水することも可能である。
【００２３】
なお、上述の実施形態においては、逆Ｔ字断面のドレーン材安定柵６について説明したが、ドレーン材安定柵６の材質は種々考えられる。例えば、図１０に示すように、鉄筋枠からなる逆Ｔ字断面のドレーン材安定柵６を代用してもよい。ここで、このドレーン材安定柵６の垂直部を可倒式にしておけば、堤体２内の浸潤線とほぼ直交させることにより、浸潤線を効率よく速やかに下降させることができる。また、図１１に示すように、合成樹脂からなる逆Ｔ字断面のドレーン材安定柵６を代用しても構わない。或いはまた、木材、繊維ネット（漁網）、コンクリートなどからなるドレーン材安定柵６を代用することも可能である。
【００２４】
なお、上述の実施形態においては、図２に示すように、底板３１の後端部に背面壁３２を設けると同時に、底板３１の前端部に土止め擁壁３３を傾斜させて設けた略Ｌ字断面の堤脚水路構築物３を用いる場合について説明したが、堤脚水路構築物３の断面形状は他にも種々考えられる。例えば、図１２に示すように、土止め擁壁３３を直立させた堤脚水路構築物３を用いてもよい。また、図１３に示すように、背面壁３２を省いた堤脚水路構築物３を用いても構わない。或いはまた、図１４に示すように、土止め擁壁３３を直立させ、かつ背面壁３２を省いた堤脚水路構築物３を用いることも可能である。
【００２５】
なお、上述の実施形態においては、堤脚水路構築物３の下側に割栗石１２を敷設する場合について説明したが、割栗石１２を省くこともできる。
【００２６】
なお、上述の実施形態においては、透水管として暗渠排水管８を用いる場合について説明したが、背面の側溝形状部に何も充填せずに空間化し、通水することもできる。また、暗渠排水管８、透水性の大きい砂利、砕石、栗石などを詰めないことにより、堤脚保護工の内面に設置された側溝にすることも可能である。
【００２７】
なお、上述の実施形態においては、河川用の堤防１について説明したが、湖沼・海岸などの堤防に本発明を適用することも勿論できる。
【図面の簡単な説明】
【００２８】
【図１】本発明に係る堤防強化ドレーン構造の第１の実施形態における堤体の裏法尻を示す図であって、（ａ）はその正面図、（ｂ）はその平面図である。
【図２】図１に示す堤体の裏法尻のＡ−Ａ線による断面詳細図である。
【図３】図１に示す堤体の裏法尻の集水部に使用される堤脚水路構築物の一例を示す図であって、（ａ）はその正面図、（ｂ）はその右側面図、（ｃ）はその背面図である。
【図４】図１に示す堤体の裏法尻の集水部以外の部位に使用される堤脚水路構築物の一例を示す図であって、（ａ）はその正面図、（ｂ）はその右側面図、（ｃ）はその背面図である。
【図５】暗渠排水管の第１例を示す図であって、（ａ）はその斜視図、（ｂ）はその断面図である。
【図６】暗渠排水管の第２例を示す図であって、（ａ）はその斜視図、（ｂ）はその断面図である。
【図７】暗渠排水管の第３例を示す図であって、（ａ）はその斜視図、（ｂ）はその断面図である。
【図８】堤体の裏法尻の集水部に使用される堤脚水路構築物の別の例を示す図であって、（ａ）はその正面図、（ｂ）はその右側面図、（ｃ）はその背面図である。
【図９】堤体の裏法尻の集水部以外の部位に使用される堤脚水路構築物の別の例を示す図であって、（ａ）はその正面図、（ｂ）はその右側面図、（ｃ）はその背面図である。
【図１０】ドレーン材安定柵の別の例を示す図であって、（ａ）はその正面図、（ｂ）はその右側面図、（ｃ）はその平面図である。
【図１１】ドレーン材安定柵のさらに別の例を示す図であって、（ａ）はその正面図、（ｂ）はその右側面図である。
【図１２】本発明に係る堤防強化ドレーン構造の第２の実施形態における堤体の裏法尻を示す断面詳細図である。
【図１３】本発明に係る堤防強化ドレーン構造の第３の実施形態における堤体の裏法尻を示す断面詳細図である。
【図１４】本発明に係る堤防強化ドレーン構造の第４の実施形態における堤体の裏法尻を示す断面詳細図である。
【符号の説明】
【００２９】
１……堤防
２……堤体
３……堤脚水路構築物
５……ドレーン材
６……ドレーン材安定柵
７……フィルター材
８……暗渠排水管（透水管）
８ｅ……フィルター材
８ｆ……心材
３１……底板
３２……背面壁
３３……土止め擁壁
３４……排水孔
３５……通水窓
【図１】
2006176990.tif 000003
【図２】
2006176990.tif 000004
【図３】
2006176990.tif 000005
【図４】
2006176990.tif 000006
【図５】
2006176990.tif 000007
【図６】
2006176990.tif 000008
【図７】
2006176990.tif 000009
【図８】
2006176990.tif 000010
【図９】
2006176990.tif 000011
【図１０】
2006176990.tif 000012
【図１１】
2006176990.tif 000013
【図１２】
2006176990.tif 000014
【図１３】
2006176990.tif 000015
【図１４】
2006176990.tif 000016